(57)【要約】【課題】  原稿台ガラス上に載置された原稿を交換する際に、自動原稿送り装置を十分に開放しなかった場合は、シートのサイズ情報がリセットされずに、誤ったサイズ情報に基づいて画像の読み取りが行われてしまうことがある。【解決手段】  サイズ情報がリセットされる角度を、自動原稿送り装置２が閉じられている角度（第一の角度）と、保持部による保持が解除された自動原稿送り装置２が自動的に移動する角度（第二の角度）との間に設定する。【選択図】  図１３
2016092705.tif 000002
【特許請求の範囲】
【請求項１】
画像が読み取られるシートが載置されるシート台と、
前記シート台を開放又は閉鎖する開閉部と、
前記開閉部が前記シート台を閉鎖する第一の角度に、開閉部を保持する保持部と、
前記開閉部を装置本体に対し回転可能に支持し、前記保持部による保持を解除された開閉部を第二の角度に移動させる開閉部支持部と、
前記シート台に載置されたシートのサイズを検知するサイズ検知部と、
前記サイズ検知部により検知されたシートのサイズに関する情報を記憶する記憶部と、を備え、
前記第一の角度から、前記第一の角度と前記第二の角度の間の第三の角度に前記開閉部が移動した時に、前記記憶部に記憶されたシートのサイズに関する情報がリセットされることを特徴とする画像読取装置。
【請求項２】
前記第二の角度よりも閉鎖方向の角度を第四の角度として、前記開閉部が第四の角度にある時に前記シート台に載置されたシートのサイズの検知を開始することを特徴とする請求項１に記載の画像読取装置。
【請求項３】
前記第二の角度よりも開放方向の角度を第五の角度として、開閉部が第五の角度にある時に、前記シート台に載置されたシートのサイズの検知を開始することを特徴とする請求項１に記載の画像読取装置。
【請求項４】
前記開閉部支持部は、前記開閉部を開く方向に付勢する付勢部を備え、前記付勢部は、前記装置本体に対して前記第一の角度から前記第二の角度までの範囲に前記開閉部がある状態においては、前記開閉部の自重によるモーメントよりも大きなモーメントを発生し、且つ、前記開閉部が前記第二の角度より開いた状態においては、前記開閉部の自重によるモーメントと均衡するモーメントを発生するように、前記開閉部を付勢することを特徴とする請求項１乃至３のいずれか１項に記載の画像読取装置。
【請求項５】
前記開閉部は、画像が読み取られるシートを画像読取位置に搬送するシート搬送部を備えることを特徴とする請求項１乃至４のいずれか１項に記載の画像読取装置。
【請求項６】
前記サイズ検知部は発光部と受光部を備える光学センサであることを特徴とする請求項１乃至５のいずれか１項に記載の画像読取装置。
【請求項７】
前記保持部は、前記装置本体、又は前記開閉部のどちらか一方側に設けられた磁石と、他方側に設けられた磁性体であることを特徴とする請求項１乃至６のいずれか１項に記載の画像読取装置。
【請求項８】
前記開閉部の開放角度を検知する、角度検知部を備えることを特徴とする請求項１乃至７のいずれか１項に記載の画像読取装置。
【請求項９】
前記開閉部の開閉動作を行う際に把持される把持部を備え、前記把持部を把持することにより前記保持部による保持状態は解除されることを特徴とする請求項１乃至８のいずれか１項に記載の画像読取装置。
【請求項１０】
請求項１乃至９のいずれか１項に記載の画像読取装置と
記録媒体に画像を形成する画像形成部と、
を備えることを特徴とする画像形成装置。
【発明の詳細な説明】
【技術分野】
【０００１】
本発明は、装置本体に対して開閉可能に設けられた開閉部と、シートのサイズを検知するサイズ検知部とを備える画像読取装置及び画像形成装置に関するものである。
【背景技術】
【０００２】
複写機などの画像形成装置において、読み取られる画像が形成されたシート（以下、原稿）の画像を自動で読み取るための画像読取装置を、画像形成部の上方に装着したものが知られている。画像読取装置は、リーダ部と自動原稿送り装置を備えている。自動原稿送り装置は、リーダ部の装置本体上面に設けられた透明ガラス（以下、原稿台ガラスと言う）に対して開閉自在に設けられている。原稿ガラスの下には画像を読み取るための画像読取手段が配置されている。
【０００３】
原稿の画像を読み取る際は、流し読みと固定読みという二つの方法がある。流し読みは、自動原稿送り装置を閉じた状態で、自動原稿送り装置により原稿を順次画像読取手段のある原稿台ガラスへと一枚ずつ搬送し、自動的に一枚ずつ原稿の画像の読み取りを行う。固定読みは、自動原稿送り装置を開いて原稿台ガラスを開放して原稿台ガラス上に原稿を載置した後、自動原稿送り装置を閉じて画像読取手段により原稿の画像を読み取る。
【０００４】
自動原稿送り装置には自動的に原稿を搬送するために、種々のローラやモータなどの部品を多数内蔵する。そのため、自動原稿送り装置の重さは数キログラムから数十キログラムとなり、そのままでは開閉操作が容易でないため、ヒンジを備えた開閉部支持部（以下、ヒンジ装置と言う）を具備するのが一般的である。
【０００５】
ヒンジ装置は、バネを内蔵し、自動原稿送り装置を開く方向、すなわち、自動原稿送り装置の重量（以下、「自重」と言う）をキャンセルする方向に付勢している。それにより、開く際には軽い力で持ち上げることができ、閉まる際には静かに閉まるよう、バネと自重のバランスをとることにより原稿台ガラス上への原稿の載せ換えを容易にできるようにしている。
【０００６】
このように原稿台ガラス上への原稿の載せ換えを容易にするために、バネと自重のバランスを良好に設定するための構成が特許文献１に記載されている。また、原稿台ガラスに載置された原稿を読み取る場合には、原稿台ガラス上に載置された原稿のサイズを自動で検知する構成が特許文献２に記載されている。検知した原稿のサイズに応じて画像読取部で原稿の画像読取が行われる。そして、検知された原稿のサイズの情報は、自動原稿送り装置の位置が所定の位置まで開放された場合にリセットされる。
【先行技術文献】
【特許文献】
【０００７】
【特許文献１】特開平３−１８４０５９号公報
【特許文献２】特開２００９−２５８６５８号公報
【発明の概要】
【発明が解決しようとする課題】
【０００８】
原稿台ガラス上に載置された原稿を交換する際に自動原稿送り装置を開ける角度は、ユーザーによってまちまちである。原稿の載せ換えの際に、サイズ情報がリセットされる位置まで自動原稿送り装置が開けられなかった場合、前の原稿読取の際に設定されたサイズ情報はリセットされない。そのため、前の原稿読取の際とは違うサイズの原稿をセットしていたとしても、前の原稿読取の際のサイズ情報に基づいて、原稿の読み取りが実行されてしまうという課題が発生してしまう。また、この課題を解消するために自動原稿送り装置が少しでも開いた場合に、サイズ情報をリセットする構成が考えられる。しかしながら、この構成の場合は、ユーザーが少しでも自動原稿送り装置に触れてしまうと、サイズ情報がリセットされてしまうおそれがある。
【０００９】
本発明は、上記課題を解決するものであり、シートのサイズ情報がリセットされずに、誤ったサイズ情報に基づいて画像の読み取りが行われることを防止することを目的とするものである。
【課題を解決するための手段】
【００１０】
本発明に係る画像取装置は、シートの画像を読み取る画像読取部と、画像が読み取られるシートが載置されるシート台を備える装置本体と、前記シート台を開放又は閉鎖する開閉部と、前記開閉部が前記シート台を閉鎖する第一の位置に、開閉部を保持する保持部と、前記開閉部を前記装置本体に対し回転可能に支持し、前記保持部による保持を解除された開閉部を第二の位置に移動させる開閉部材支持部と、前記シート台に載置されたシートのサイズを検知するサイズ検知部と、前記サイズ検知部により検知されたシートのサイズを記憶する記憶部と、を備え、前記第一の位置から、前記第一の位置と前記第二の位置の間の第三の位置に前記開閉部材が移動した時に、前記記憶部に記憶されたシートのサイズがリセットされることを特徴とする。
【発明の効果】
【００１１】
本発明によれば、シートのサイズ情報がリセットされずに、誤ったサイズ情報に基づいて画像の読み取りが行われることを防止することができる。
【図面の簡単な説明】
【００１２】
【図１】画像形成装置の実施概要を示した図
【図２】画像読取装置の実施概要を示した図
【図３】画像読取装置の回路構成及び画像信号制御部のブロック図
【図４】画像処理手段の制御ブロック図
【図５】自動原稿送り装置の自重とヒンジバネ力との関係を示す図
【図６】ヒンジ装置の実施概要を示した図（内部部品説明）
【図７】ヒンジ装置の実施概要を示した図（フリーストップ状態）
【図８】ヒンジ装置の実施概要を示した図（跳ね上げ状態）
【図９】（ａ）取っ手部の構成を示した図。（ｂ）取っ手部の構成の拡大図
【図１０】（ａ）保持部の実施概要を示した図（保持状態）。（ｂ）保持部の実施概要を示した図（解除状態）
【図１１】本発明のサイズ検知方法を説明する図
【図１２】サイズ検知をするための光学センサの構成を説明する図
【図１３】実施形態１に係る、自動原稿送り装置２の開放角度と、サイズ情報のリセット角度、サイズ情報検知開始角度との関係を示す図
【図１４】実施形態２に係る、自動原稿送り装置２の開放角度と、サイズ情報のリセット角度、サイズ情報検知開始角度との関係を示す図
【発明を実施するための形態】
【００１３】
（実施形態１）
以下に、図１〜図１３を用いて本発明の実施形態について説明する。
【００１４】
図１、図２は本実施形態の画像形成装置の概略構成図である。
【００１５】
この図に示す画像形成装置１は、画像形成装置本体１００（以下、本体１００）と、本体１００の上面に装着された画像読取装置２００とで構成される。
【００１６】
本体１００は、そのほぼ中央部に画像形成部が配置され、その下方に給紙部が配置されている。また、本体最上部には原稿の画像を読み取るための画像読取装置２００が配置されている。そして、画像読取装置２００と画像形成部との間に空間が設けられ排紙空間部３４が形成されている。画像読取装置２００は、画像読取手段としての走査ユニット１０３を備えたリーダ部２０と、リーダ部２０が原稿を自動的に送るための自動原稿送り装置２とで構成される。
【００１７】
本体１００において、画像形成部は周知の電子写真方式によるプリントエンジンとして構成され、図示しないレーザ書き込み部、電子写真プロセス部、定着部等を内蔵している。画像形成部によりシートなどの記録媒体に画像が形成される。給紙部は、給紙カセット３３を有しており、給紙ローラ等のシート給送部により給紙カセット３３に積載されているシートを画像形成部に供給する。
【００１８】
リーダ部２０では、枠体フレーム１０２の上面に透明ガラスで構成された原稿台ガラス１０１（シート台）が配置され、その下方に走査ユニット（画像読取手段）１０３が配設される。自動原稿送り装置２は、装置奥側に設けられた開閉部支持部であるヒンジ装置１０により本体１００の上部の枠体フレーム１０２に装着される。ヒンジ装置１０の構成は後述する。ヒンジ装置１０により自動原稿送り装置２は、画像読取装置の装置本体であるリーダ部２０の枠体フレーム１０２に回転可能に支持される。自動原稿送り装置２は、原稿台ガラス１０１を開放又は閉鎖することが可能なように設けられている。原稿台３１上には読み取られる画像が形成されている原稿（シート）がセットされる。セットされた原稿束は、上側から１枚ずつ原稿台ガラス１０１上に搬送され、搬送ローラ等のシート搬送部により、走査ユニット１０３により画像が読み取られる画像読取位置に搬送される。走査ユニット１０３による画像の読み取りが終了した原稿は、順次原稿排出台３２上に排出される。自動原稿送り装置２の構成及び作用は従来周知のものと同様であるので詳しい説明を省略する。
【００１９】
本又はノートなどの自動給紙によらない画像読み取りの場合は、自動原稿送り装置２を圧板として用いることができる。すなわち、原稿台ガラス１０１の上面に、本またはノートを開いた状態で載置し、自動原稿送り装置２を上方から押し付けて本またはノートの画像を読み取る。
【００２０】
次に、図２において本実施形態のリーダ部２０の概略構成について説明する。
【００２１】
１０１は原稿を載置する原稿台ガラス、１０２は原稿台ガラスを支持する枠体フレーム、１０３は原稿を走査する走査ユニット（画像読取手段）、１０４は走査ユニット１０３を移動させるベルト、１０５はベルトを駆動するプーリ、１０６はプーリを回転させるモータである。
【００２２】
走査ユニット（画像読取手段）１０３はキャリッジ枠体１０７を備えている。キャリッジ枠体１０７には、原稿を照明する照明ユニット１０８、原稿で拡散した光を導く反射ミラー１０９、１１０、１１１、光を結像するレンズ１１２、結像した光を光電変換して読み取るＣＣＤ１１３、ＣＣＤ１１３を駆動する電装基板１１４を一体的に搭載している。
【００２３】
原稿の画像を読み取る際には、照明ユニット１０８によって原稿を照明しながら、モータ１０６を回転させ、プーリ１０５とベルト１０４によって走査ユニット１０３を原稿に沿って走査させる。原稿に当たった光は原稿面で拡散し、反射ミラー１０９、１１０、１１１によってレンズ１１２に導かれ、レンズ１１２によって結像された後、ＣＣＤ１１３によって光電変換され、電気的に読み取られる。
【００２４】
３０１、３０２、３０３はシェーディング補正用の白基準データを提供する白色基準部材のユニットであり、原稿の画像を読み取る前に走査ユニット１０３をこの位置まで移動させてシェーディング補正を行う。
【００２５】
１１５は流し読みガラス（透明ガラス）であり、自動原稿送り装置２を用いて流し読みを行う場合の読取位置となる。自動原稿送り装置２の給紙部（不図示）より給紙された原稿は、流し読みガラス１１５上を通過し、流し読みガラス１１５の下方で停止・待機している走査ユニット１０３によって原稿上の画像が読み取られる。１１６は傾斜ガイドで、流し読みガラス１１５を通過した原稿の先端をすくい上げ、再び原稿を自動原稿送り装置の機内に案内するためのガイド部材である。
【００２６】
次に、図２及び図４を用いてシェーディング補正について説明する。
【００２７】
走査ユニット１０３のシェーディング補正は、図２に示すように原稿台ガラス１０１と併設されたシェーディング白板３０２の下方に走査ユニット１０３を移動させて行われる。
【００２８】
そして、取得した画像データをもとに画像処理手段２１０では、アナログ信号処理部２１１で感度補正等の各種補正を加えた後、Ａ／Ｄ変換部２１２にてデジタル画像信号に変換する。さらにゲインコントロール部２１３、シェーディング補正部２１４、トーンコントロール部２１５等において各種補正を加える。その後、デジタルデータとして画像データを画像形成装置１の画像形成部などに送信する。
【００２９】
次に、図３を用いて上述の装置を制御するブロック図について説明する。
【００３０】
ＣＰＵ回路部４００はＣＰＵ４０１を有し、ＲＯＭ４０２に格納されているプログラムに基づき、操作部３００の設定に従って、読取制御部２０１、画像信号制御部４０５、外部Ｉ／Ｆ４０６を制御する。ＲＡＭ４０３は制御データを一時的に保持する領域や、制御に伴う演算の作業領域として用いられる。外部Ｉ／Ｆ４０６はコンピュータ４０７からのインターフェイスであり、プリントデータを画像に展開して画像信号制御部４０５へ出力する。
【００３１】
画像処理部４１０では、画像の補正処理や操作部での設定に応じた編集処理を行う。ラインメモリでは、主走査方向を入れ替える鏡像処理等を行う。ラインメモリ４１１の画像は、ページメモリ４１２を介して出力される。ハードディスク４１３はページ順を入れ替えるときなどに必要に応じて用いられる。
【００３２】
次に、図５〜図１０を用いて、ヒンジ装置１０の構成について説明する。
【００３３】
図５は、実施形態１に係るヒンジ装置１０を使用した場合の、自動原稿送り装置２の自重と、ヒンジ装置１０に設けられたバネ力（以下、ヒンジバネ力）と、により自動原稿送り装置２に発生するモーメントの関係を示した図である。横軸は自動原稿送り装置２の原稿台ガラス１０１に対する開閉角度、縦軸はモーメントである。自動原稿送り装置２が原稿台ガラス１０１を閉鎖している時を開閉角度０°とする。図中の点線は自動原稿送り装置２の自重によるモーメントで、原稿送り装置２が閉じる方向にかかるモーメントである。実線はヒンジバネ力によるモーメントで、原稿送り装置２が開く方向にかかるモーメントである。所定角度θ１以下においては、自動原稿送り装置２の自重によるモーメントよりもヒンジバネ力によるモーメントの方が大きくなるように設定している。所定角度θ１以上においては、自動原稿送り装置２によるモーメントとヒンジバネ力によるモーメントとが均衡するように設定している。そのため、自動原稿送り装置２を開放する際には軽い力で開放できるようになり、所定角度θ１以上においては、ユーザーの好きな位置に停止させることができるようになる。
【００３４】
図６は本実施形態のヒンジ装置１０の断面図である。自動原稿送り装置２は外装構成部材であるカバー３によって覆われている。自動原稿送り装置２は原稿台ガラス１０１に対して開閉可能とするため、ヒンジ装置１０を介して枠体フレーム１０２に取り付けられている。ヒンジ装置は、リフトアーム４、リフト軸５、バネ軸Ｂ６、ヒンジアーム７、高さ調整ネジ８、圧縮バネ１２（付勢部）、ヒンジ軸１３、ヒンジベース１４、バネホルダーＢ１５、圧縮バネ１６（付勢部）、バネホルダーＡ１７、バネ軸１８から構成される。ヒンジ軸１３はヒンジベース１４に支えられる。ヒンジベース１４は枠体フレーム１０２に固定されている。また、ヒンジベース１４はヒンジアーム７を軸支しており、ヒンジアーム７はヒンジベース１４に対して回動可能となっている。
【００３５】
さらに、ヒンジアーム７はリフト軸５を介してリフトアーム４を支えている。リフトアーム４はヒンジアーム７に対して回動可能となっている。高さ調整ネジ８はリフトアーム４に固定されるが、進退自在としなっている。高さ調整ネジ８の先端がヒンジアーム７の一部に当接し、自動原稿送り装置２の原稿台ガラス１０１に対する高さを調整可能としている。リフトアーム４は自動原稿送り装置２（カバー３）に固定され、バネ軸Ａ１８を支えている。バネ軸Ａ１８はバネホルダーＡ１７を軸支する。バネホルダーＡ１７は圧縮バネ１２、１６の端部を保持し、対向側にもバネホルダーＢ１５を配置して圧縮バネ１２、１６の他端部を保持している。バネホルダーＢ１５はバネ軸Ｂ６にて軸支される。バネ軸Ｂ６はヒンジベース１４に固定されているので、自動原稿送り装置２の開閉動作にてバネ軸Ａ１８とバネ軸Ｂ６の間隔が変化し、それに伴い、圧縮バネ１２、１６が伸び縮みする。
【００３６】
次に、図７、図８は自動原稿送り装置２をそれぞれ水平状態から角度θ２、θ１まで開放した場合のヒンジ装置１０の断面図である。自動原稿送り装置２を開放することによって、バネ軸Ｂ６とバネ軸Ａ１８の間隔が広がり、それに連動する形で、圧縮バネ１２、１６の反力を受けてバネホルダーＡ１７とバネホルダーＢ１５と間隔が広がる。図に示す通り、圧縮バネ１６は開閉角度がθ１、θ２のどちらの場合においても、バネホルダーＡ１７とバネホルダーＢ１５に両端が接触している状態である。一方、圧縮バネ１２は開閉角度θ１以上（θ２）においては、バネホルダーＡ１７から完全に離れるようになっている。つまり、圧縮バネ１２が作用する開閉角度θ１以下においては、自動原稿送り装置２の自重によるモーメントよりもヒンジのバネ力によるモーメントの方が大きくなるようにし、自動原稿送り装置２の開閉力を軽減させている。そして、圧縮バネ１２が作用しなくなる開閉角度θ１よりも大きい場合（θ２の領域）においては、自動原稿送り装置２の自重によるモーメントとヒンジのバネ力によるモーメントを均衡状態にし、自由な開閉角度で停止（フリーストップ）できるようにしている。
【００３７】
図９は自動原稿送り装置２の前面略中央部にある、取っ手部５０付近を抜粋した図である。図９（ａ）は正面図、図９（ｂ）は自動原稿送り装置２が原稿台ガラス１０１を閉鎖する位置に、自動原稿送り装置２を保持する保持部の拡大図である。保持部は、後述する磁石と磁性体である。図１０はＡ−Ａ断面図で、図１０（ａ）は枠体フレーム１０２に対して自動原稿送り装置２が保持部によって保持されている状態（閉じ状態）を示す図で、図１０（ｂ）は保持部による保持が解除された状態を示す図である。
【００３８】
取っ手部（把持部）５０は、ユーザーが自動原稿送り装置２を開閉する際の持ち手となる取っ手５１を備えている。取っ手５１は、回動軸５６によって、自動原稿送り装置２に対して回動可能に取り付けられている。回動した取っ手５１は戻しバネ５７によって元の位置に戻される構成になっている。
【００３９】
取っ手５１の両端には磁石５２、５３がそれぞれ設けられている。磁石５２、５３の対向側には金属板金などの磁性体５４、５５が枠体フレーム１０２に設けられている。磁石５２、５３と磁性体５４、５５による磁気的結合力によって、枠体フレーム１０２に対する自動原稿送り装置２の閉じ状態を保持している。取っ手５１を挟んで両端側に保持部を設けているのは、枠体フレーム１０２及び原稿台ガラス１０１に対して自動原稿送り装置２を平行に保持するためである。図示していないが、磁石５２、５３の取り付け位置（高さ）を調整する手段を設けることで、平行状態を調整可能にしている。
【００４０】
自動原稿送り装置２を開閉する際には、取っ手５１を矢印Ｂ方向に押す。そうすることによって、取っ手５１は回動軸５６を中心に回動し、取っ手５１に取り付けられた磁石５２、５３は枠体フレーム１０２に取り付けられた磁性体５４、５５から離れ、磁気的結合力が解除される。磁気的結合力がなくなると、保持状態が解除され自動原稿送り装置２は開閉角度θ１のところまで、ヒンジ装置１０のバネ力のみで自動的に持ち上げられる（跳ね上がる）。
【００４１】
（取っ手５１と保持部と回動軸５６の位置について）
原稿台ガラス１０１に対して、自動原稿送り装置２が確実に着地せず、半開きの状態になってしまうと、原稿台ガラス１０１に載置された原稿の押さえ力が弱くなることで画像の読取不良が発生するおそれがある。一般的に、枠体フレーム１０２に対して自動原稿送り装置２を確実に保持するためには、取っ手５１のところで「おおよそ２〜３Ｋｇｆ程度」の力が必要になる。つまり、本実形態における保持部の磁気的結合力は「２〜３Ｋｇｆ程度」必要ということになる。本実施形態では、図１０に示したように、取っ手５１と回動軸５６の間に保持部を設け、可能な限り回動軸５６側に保持部を配置することによって、保持力の解除を容易に（軽く）行えるようにしている（てこの原理を利用）。
【００４２】
本実施形態では、自動原稿送り装置２側に磁石５２、５３を設け、枠体フレーム１０２側に磁性体５４、５５を設けたがそれぞれを逆側に配置しても良い。即ち、枠体フレーム１０２又は自動原稿送り装置２のどちらか一方側に磁石を設け、他方側に磁性体が設けられている構成であればよい。
【００４３】
また、取っ手５１の両脇に保持部を２つ配置したが、２つに限るものではない。
【００４４】
また、保持力の解除をする構成として、取っ手５１を回動軸５６によって回動させる構成で説明したが、保持部の磁石と磁性体との距離を大きくさせる構成であればこれに限るものではない。例えば、取っ手５１をスライド移動させて、保持部の磁石と磁性体の距離を大きくさせる構成としてもよい。
【００４５】
次に、図１１、図１２を用いて、原稿台ガラス１０１上に載置された原稿のサイズ検知方法について説明する。
【００４６】
図１１、１２は、原稿台ガラス１０１上に載置した原稿の画像読み取りをする前に自動で実施される原稿のサイズ検知方法を説明する図である。図１１は自動原稿送り装置２が開けられ、原稿台ガラス１０１の上に原稿が載置された状態を示す斜視図ある。図１２は原稿台ガラス１０１に載置された原稿のサイズを検知するための光学センサの断面図である。
【００４７】
原稿Ｓは、原稿台ガラス１０１の左端に設けられた位置決め部１２０に合わせて載置される。
【００４８】
原稿Ｓの副走査方向（図１１の左右方向）のサイズは、副走査方向に少なくとも一つ配設された光学センサ３５、３６で検知される。光学センサ３５、３６は、図１２に示すような反射型のセンサで構成されている。光学センサ３５、３６は共通の構成であるので、図１２には光学センサの一方を図示している。発光センサ（発光部）３７から出射された光は原稿台ガラス１０１上の原稿Ｓによって反射し、反射した光が受光センサ（受光部）３８に入射する。受光センサ３８による受光の有無により、原稿Ｓが副走査方向のどの位置まで存在するかを検知できる。
【００４９】
原稿Ｓの主走査方向（縦方向）のサイズは、走査ユニット１０３で検出される。走査ユニット１０３の構成は図２のようになっている。照明ユニット１０８から出射された光は、原稿で拡散し、拡散した光が反射ミラーやレンズを経由してＣＣＤ１１３に入射する。ＣＣＤ１１３に入射される光の範囲により、原稿Ｓが主走査方向のどの位置まで存在するかを検知できる。
【００５０】
そして、副走査方向（横方向）／主走査方向（縦方向）の検出結果に基づいて総合的に原稿サイズを確定している。光学センサ３５、３６と、走査ユニット１０３により、原稿のサイズを検知するためのサイズ検知部を構成している。
【００５１】
原稿台ガラス１０１上に載置された原稿Ｓは、自動原稿送り装置２の下部に原稿台ガラス１０１全面を覆うように設けられた白色の原稿押さえ部材１２１によって原稿台ガラス１０１に押圧される構成である。そのため、自動原稿送り装置２が閉じた状態においては原稿押さえ部材１２１の白と原稿Ｓの白との区別ができず、原稿の検出ができない。一方、自動原稿送り装置２が大きく開いた状態だとサイズ光学センサ３５、３６及び走査ユニット１０３の光とは異なる外光が入射するおそれがある。
【００５２】
そこで、本実施形態では、原稿サイズの検出にあたっては、自動原稿送り装置２が所定角度開いた状態で２回検知を行っている。具体的には、自動原稿送り装置２が２５〜３５°くらいの角度の時（１回目の検知）と、限りなく閉じた状態に近い角度（０°よりも大きく５°以下の角度）の時（２回目の検知）の２回検知を行う。
【００５３】
原稿Ｓが存在しない領域は、１回目の検知では光学センサ３５、３６及びＣＣＤ１１３に反射光は入射されない。一方、２回目の検知では、原稿Ｓにより光が反射されることは無いが、原稿押さえ部材１２１による反射光が入射されることになる。１回目と２回目の検知の際に各センサへの反射光の入射の有無が変化したことに基づいて、原稿の存在しない領域を判断し、原稿の大きさを判断する。検知結果により原稿Ｓのサイズが判定できなかった場合は、ユーザーが操作部３００により、サイズに関する情報を入力するようにする。
【００５４】
なお、１回目の検知結果（自動原稿送り装置２が２５〜３５°くらいの角度の時の検知結果）のみに基づいて原稿Ｓの大きさを判断するようにしてもよい。
【００５５】
自動原稿送り装置２の開放角度は、角度検知センサ（角度検知部）３０によって検知されている。角度検知センサ３０は、自動原稿送り装置２に接触可能なように設けられており、自動原稿送り装置２の開放角度により接触による押し込み量が変化する。角度検知センサ３０は、押し込み量に基づいて自動原稿送り装置２の開放角度を検知する。角度検知センサ３０により検知された自動原稿送り装置２の開放角度に基づいて、後述する原稿のサイズ情報のリセット、サイズ情報の検知開始が行われる。
【００５６】
原稿のサイズが検知された場合、検知されたサイズに関する情報（Ａ４サイズ、Ａ３サイズ等）は、記憶部であるＲＡＭ４０３に記憶される。ユーザーにより操作部３００の画像読み取りのスタートキーが押されると、読取制御部２０１は、ＲＡＭ４０３からサイズ情報を入手し、走査ユニット１０３を制御してサイズ情報に基づく領域の画像の読み取りを行う。
【００５７】
ＲＡＭ４０３に記憶されたサイズ情報は、自動原稿送り装置２が閉じられた状態から後述する第三の角度にまで開かれることでリセットされる。
【００５８】
（サイズ情報のリセット、サイズ情報検知開始の角度について）
図１３に、自動原稿送り装置２の開放角度と、サイズ情報のリセット角度、サイズ情報検知開始角度との関係を示す。
【００５９】
サイズ情報がリセットされる第三の角度は、自動原稿送り装置２が閉じられている角度（第一の角度）と、保持部による保持が解除された自動原稿送り装置２が自動的に移動する角度（第二の角度）との間に設定される。また、サイズ検知を開始する第四の角度は、自動原稿送り装置２が自動的に移動する角度（第二の角度）とサイズ情報がリセットされる角度（第三の角度）との間の角度に設定されている。
【００６０】
本実施形態において、各々の角度は次のようになっている。
自動原稿送り装置２が閉じられている角度（第一の角度）は、０°。
保持部による保持が解除された自動原稿送り装置２が自動的に移動する角度（第二の角度）は、４０°。
サイズ情報がリセットされる角度（第三の角度）は、１０°。
サイズ検知を開始する角度（第四の角度）は、２５°。
【００６１】
第一の角度から、第一の角度と第二の角度の間の第三の角度に自動原稿送り装置２が移動した時に、ＲＡＭ４０３に記憶されたシートのサイズ情報がリセットされる。
【００６２】
ユーザーが原稿Ｓの交換作業のために、自動原稿送り装置２の保持を解除した場合、前の画像読取の際のサイズ情報がリセットされる角度よりも開放方向の位置まで自動原稿送り装置２は移動する。よって、原稿Ｓの交換をしたにもかかわらず、前の画像読取の際に設定されたサイズ情報に基づいて画像の読み取りをしてしまうことを防止できる。
【００６３】
自動原稿送り装置２を開けて原稿Ｓを交換した後、自動原稿送り装置２を閉鎖方向に移動していくと、サイズ検知を開始する角度（第四の角度）に達する。そのため、交換された原稿Ｓのサイズ検知を行うことができ、交換された原稿Ｓのサイズ情報に基づいて画像の読み取りを行うことができる。
【００６４】
（実施形態２）
実施形態２は、サイズ検知を開始する角度を実施形態１と変更している。装置の構成や、サイズ検知の方法などその他の構成は実施形態１と同じであるので説明は省略する。
【００６５】
図１４に、自動原稿送り装置２の開放角度と、サイズ情報のリセット角度、サイズ情報検知開始角度との関係を示す。
【００６６】
サイズ情報がリセットされる第三の角度は、自動原稿送り装置２が閉じられている角度（第一の角度）と、保持部による保持が解除された自動原稿送り装置２が自動的に移動する角度（第二の角度）との間に設定される。また、サイズ検知を開始する第五の角度は、自動原稿送り装置２が自動的に移動する角度（第二の角度）よりも開放方向の角度に設定されている。
【００６７】
本実施形態において、各々の角度は次のようになっている。
自動原稿送り装置２が閉じられている角度（第一の角度）は、０°。
保持部による保持が解除された自動原稿送り装置２が自動的に移動する角度（第二の角度）は、３０°。
サイズ情報がリセットされる角度（第三の角度）は、１０°。
サイズ検知を開始する角度（第五の角度）は、４０°。
【００６８】
第一の角度から、第一の角度と第二の角度の間の第三の角度に自動原稿送り装置２が移動した時に、ＲＡＭ４０３に記憶されたシートのサイズ情報がリセットされる。
【００６９】
ユーザーが原稿Ｓの交換作業のために、自動原稿送り装置２の保持を解除した場合、前の画像読取の際のサイズ情報がリセットされる角度よりも開放方向の位置まで自動原稿送り装置２は移動する。よって、原稿Ｓの交換をしたにもかかわらず、前の画像読取の際に設定されたサイズ情報に基づいて画像の読み取りをしてしまうことを防止できる。
【００７０】
自動原稿送り装置２が自動で開く角度（第二の角度）が開放方向に大きすぎる場合、自動原稿送り装置２の取っ手部５０が高い位置になってしまい、身長の低い者が自動原稿送り装置２を閉じることが困難になる可能性がある。そこで、実施形態２では、自動原稿送り装置２が自動で開く角度を小さく設定している。サイズ検知を開始する角度（第五の角度）は、自動原稿送り装置２が自動的に開く角度（第二の角度）よりも開放方向の位置となっているため、そのまま自動原稿送り装置２を閉鎖しただけでは新たにサイズ検知を開始されることはない。しかしながら、そのまま閉じた場合でも操作部３００から原稿のサイズ情報を入力することができる。また、自動原稿送り装置２をサイズ検知の開始する角度（第五の角度）まで開放することで、サイズ検知を実行することができる。
【００７１】
よって、実施形態２では、原稿Ｓの交換をしたにもかかわらず、前の画像読取の際に設定されたサイズ情報に基づいて画像の読み取りをしてしまうことを防止できる。また、身長の低い者が自動原稿送り装置２を閉じることが困難になるという状況を抑制することができる。
【００７２】
（その他）
上記実施形態では、電子写真方式の画像形成装置に設けられる画像読取装置の例を示したが、インクを吐出して用紙に画像を形成するインクジェット方式のプリンタ等に本実施形態の画像読取装置を適用してもよい。
【符号の説明】
【００７３】
１  画像形成装置
２  自動原稿送り装置
１０  ヒンジ装置
２０  リーダ部
３０  角度検知センサ
３１、３２  サイズ検知センサ
５１  取っ手
５２、５３  磁石
５４、５５  磁性体
１０１  原稿台ガラス（透明ガラス）
１０２  枠体フレーム
１０３  画像読取手段（走査ユニット）
２００  画像読取装置
３００  操作部
２０１  読取制御部
２１０  画像処理制御部
４００  ＣＰＵ回路部
【図１】
2016092705.tif 000003
【図２】
2016092705.tif 000004
【図３】
2016092705.tif 000005
【図４】
2016092705.tif 000006
【図５】
2016092705.tif 000007
【図６】
2016092705.tif 000008
【図７】
2016092705.tif 000009
【図８】
2016092705.tif 000010
【図９】
2016092705.tif 000011
【図１０】
2016092705.tif 000012
【図１１】
2016092705.tif 000013
【図１２】
2016092705.tif 000014
【図１３】
2016092705.tif 000015
【図１４】
2016092705.tif 000016